(57)【要約】      （修正有）【課題】箱型、スタンド式、ボード式のアクセサリー収納は男女共用で使用できず、アクセサリーの種類により自由に収納できず、用途を自由に選べず、多種多量に収納することが不可能であったので、これらの問題を解決するアクセサリー収納具を提供する。【解決手段】台座１の上にトレー５を重ね置き、台座の中心にポール２ａを立て、ポールの上端にフリーアーム４ａを設置し、必要に応じて多段にポールとフリーアームを設置でき、これらとは別にアクセサリー固定孔を複数設けた環状、または木の葉状等のアクセサリーリースを形成し、アクセサリーリースの複数個所に吊り掛け凹部を設け、必要に応じてアームに吊り掛けて使用するものであり、台座上のトレーやフリーアームはポールを軸にして自由に回転できることを特徴とする男女共用のアクセサリーポスト。【選択図】図３
2015164500.tif 000002
【特許請求の範囲】
【請求項１】
主要に、台座とポール及びフリーアームから成るアクセサリー吊り掛け収納具において、台座の上にトレーを重ね置き、台座の中心にトレーを貫通してポールを立て、ポールの上端近くにフリーアームを設置し、さらにそのポールの上端に別のポールを継ぎ足し、また、そのポールの上端近くに、別のフリーアームを設置し、という形で必要に応じて多段式にフリーアームを設置し、ポール最上端にキャップを設け、それぞれのフリーアームの各アーム片の先端にストッパーを設置するものであるが、これらとは別にアクセサリー固定孔を複数設けた環状、または木の葉状等のアクセサリーリースを形成し、アクセサリーリースの複数個所に吊り掛け凹部を設け、必要に応じてアーム片に多数吊り掛けて使用するものであり、トレーやフリーアームはポールを軸にして自由に回転できることを特徴とするアクセサリーポスト。
【発明の詳細な説明】
【技術分野】
【０００１】  本発明は、アクセサリー全般を男女区別なく使用でき、コンパクトかつ多量に収納可能なアクセサリー収納器具に関するものである。
【背景技術】
【０００２】  従来、アクセサリー収納器具には箱型、スタンド式、ボード式等のものがあり、アクセサリーを収納する事が出来るものが知られている。
【先行技術文献】
【特許文献】
【０００３】
【発明の概要】
【発明が解決しようとする課題】
【０００４】  箱型は場所を必要とし、収納が引き出し式となっているため、指輪は小分けの箱に１個づつしか入れることができない。  収納できる数に限りがあり、ネックレスは溝式のところに一本づつしか収納できず、長いネックレスは絡んでしまう。  ピアス、イアリング等、その他のアクセサリーは、小分けの箱にひとまとめに収納するため、とても選びにくく取出しにくい。
スタンド式のものは、皿型のトレーの端に溝があり、ネックレスはかけられるが、他のアクセサリーはトレーにひとまとめにして置くようになっているので、整理がしにくい。
また、スタンド式には収納よりもインテリア性を重視したものが多く、機能性において不便さが目立つ。
ボード式は、壁に取り付けたＬ型金具にネックレスなどをかけて収納できるがピアス、イアリング等は袋に入れ収納するため不便である。
いずれも男女共用でなく、カフス、タイピン、サングラス等の小物の収納には適さない。
本発明は、以上の問題を解決するためになされたものである。
【課題を解決する手段】
【０００５】  主要に、台座とポール及びフリーアームから成るアクセサリー吊り掛け収納具において、台座の上にトレーを重ね置き、台座の中心にトレーを貫通してポールを立て、ポールの上端近くに、複数のアーム片を放射状に有するフリーアームを設置し、さらにそのポールの上端に、別のポールを継ぎ足し、またそのポールの上端近くに、別のフリーアームを設置し、という形で必要に応じて多段式にフリーアームを設置し、ポールの最上端にキャップを設ける。それぞれのフリーアームの各アーム片の先端にストッパーを設置する。
これらとは別にアクセサリー固定孔を複数設けた環状、または木の葉状等のアクセサリーリースを形成し、アクセサリーリースの複数個所に吊り掛け凹部を設け、必要に応じてアーム片に吊り掛ける。
台座上のトレーやフリーアームはポールを軸にして自由に回転できる。
以上を特徴とする男女共用のアクセサリーポストである。
【発明の効果】
【０００６】  従来のアクセサリー収納器具は、場所をとり、男女区別なく使用することができず、多量の収納が不可能であった。
本発明により、複数のアクセサリーリースを必要なだけ使用し、アクセサリー全般を男女区別なく、小スペースで簡単に整理収納することができ、アクセサリーリースを種類別に分類収納することで、目的のアクセサリーを素早く取出すことができ、また、常時使用するものはトレーを利用すれば、便利である。
また、ネックレス、ブローチ、腕時計等は直接フリーアームに収納することもできる。アクセサリーは、ピアス、イヤリング、ネックレス等、箱別に収納した場合、使用する時点で、対になっているピアスやイヤリングは、探し出すのが大変であり、ネックレスは、一本取出すのにも、他のものと絡まり、はずして使用するのが非常に面倒である。  指輪も細いサイズのものは指輪ケースに収納できるが、太くて大きいものはケースの溝に入らず、箱に収納するようになる。  このように、アクセサリーの収納は不便である。よってフリーアームのアーム片を利用しネックレスは多数掛けられ、絡むこともなく、ブレスレット、時計、サングラス、ブローチ等もそれぞれに仕分けして多数使用できる。
アクセサリーリースを使用することにより、ピアス、イヤリング、指輪も大小掛けられ、アクセサリーリースごとに種類別に整理でき、アーム片はアクセサリーリースが多数掛けられ、また、男性用のカフス、タイピンも、アクセサリーリースを使用でき、男女共用で使用できる。
フリーアームとアクセサリーリースによって、小スペースでアクセサリーが種類別に整理でき、多数の収納が可能となった。
フリーアームは、回転するため、必要なアクセサリーを自由に選び、取出すことが簡単である。
【図面の簡単な説明】
【０００７】
【図１】  本発明の正面図
【図２】  本発明の実施例を示す側面図
【図３】  本発明の実施例を示す斜視図
【図４】  本発明の一部であるフリーアームの（Ａ）平面図、及び（Ｂ）側面図
【図５】  本発明の一部であるトレーの（Ａ）平面図、及び（Ｂ）側面図
【図６】  本発明の一部であるアクセサリーリースの（Ａ）正面図、及び（Ｂ）側面図
【図７】  本発明の一部であるアクセサリーリースの別の実施例を示す正面図
【図８】  本発明の一部であるアクセサリーリースの更に別の実施例を示す正面図
【発明を実施するための形態】
【０００８】以下、本発明の実施の形態を説明する。
台座（１）の上にトレー（５）を重ね置き、台座（１）とトレー（５）の  中心部の軸孔（９）に、ポール（２ａ）を差し込み、ポール（２ａ）の上端近くにフリーアーム（４ａ）を設置し、更にそのポール（２ａ）の上端に別のポール（２ｂ）を継ぎ足し、そのポール（２ｂ）の上端近くに別のフリーアーム（４ｂ）を設置し、ポール（２ｂ）最上端にキャップ（３）を設ける。
それぞれのフリーアーム（４ａ、４ｂ）の各アーム片（１２）の先端にはストッパー（１３）が設けられている。
これとは別に、アクセサリー固定孔（８）を設けた、環状あるいは木の葉状等のアクセサリーリース（６）を形成し、アクセサリーリース（６）の複数個所に吊り掛け凹部（７）を設け、必要に応じてアーム（４）に吊り掛ける。
アクセサリーリース（６）は主にピアス、イアリング等に適し、アクセサリー固定孔（８）を利用しブローチ等にも使用できる。
本発明の一部であるアクセサリーリース（６）の別の実施例は、男性用カフス、タイピン等に使用でき、更に別の実施例は、指輪の細いもの、大きいもの等に使用すると便利である。
フリーアーム（４ａ）のアーム片（１２）は、アクセサリーリースだけでなく、ブレスレット、時計、サングラス、ブローチ、ネックレス等、また、上部のフリーアーム（４ｂ）は長いネックレスをかける事が出来る。
トレー（５）には、常時使用するアクセサリーを置き、便利に使用する事を考慮し、低所にある台座に乗せる形式をとった。
トレー（５）やフリーアーム（４）はポールを軸にして自由に回転するので、吊り掛けてある多数のアクセサリーの中から選び出す場合、常に正面において探し出すことができる。
【符号の説明】
【０００９】  １  台座、
２  ポール、      ２ａ  ポール、      ２ｂ  ポール
３  キャップ、
４  フリーアーム、      ４ａ  フリーアーム、      ４ｂ  フリーアーム
５  トレー、
６  アクセサリーリース、      ７  吊り掛け凹部、
８  アクセサリー固定孔、
９  軸孔
１０  アームベース、
１０ａ  アームベース、      １０ｂ  アームベース
１１  アーム、      １１ａ  アーム、        １１ｂ  アーム
１２  アーム片      １２ａ  アーム片、      １２ｂ  アーム片
１３  ストッパー、  １３ａ  ストッパー、    １３ｂ  ストッパー
【図１】
2015164500.tif 000003
【図２】
2015164500.tif 000004
【図３】
2015164500.tif 000005
【図４】
2015164500.tif 000006
【図５】
2015164500.tif 000007
【図６】
2015164500.tif 000008
【図７】
2015164500.tif 000009
【図８】
2015164500.tif 000010